(57)【要約】【課題】  簡単な構造によって振動板を吸液材の上端面全面に均一な押圧力でもって当接、支持させて常に安定した霧化を可能にすることができる超音波霧化装置を提供する。【解決手段】  ケース体１内に吸液材４を有する液体収容容器３を備える一方、振動板5aと圧電振動子5bとを固着している円環状ホルダー６をケース体１の蓋体２側に配して、円環状ホルダー６に突設している腕片16に設けたボス17を蓋体２側から垂設した軸受片19に穿設している縦長のガイド孔20に上下動自在に遊嵌させて、円環状ホルダー６の周方向の妄動を抑止すると共に上記振動板5aの下面を常時，円環状ホルダー６の自重によって上記吸液材４の上端面全面に均一な押圧力でもって当接、支持させた構造としている。【選択図】    図１
2016043286.tif 000002
【特許請求の範囲】
【請求項１】
ケース体と、ケース体に着脱自在に被せその中央部に噴霧口を開設している蓋体と、上記ケース体内に配置した液体収容容器と、この液体収容容器内にその下半部を没入させ上端部を液体収容容器の口部から上方に突出させている吸液材と、通電によって振動する圧電振動子と振動板とを備えその振動板の下面を上記吸液材の上端面に当接、受止させている超音波発振部と、上記蓋体の噴霧口の下方に配設され上記超音波発振部を内嵌状態に固定させている円環状ホルダーと、この円環状ホルダーの外周面に突設している腕片と、この腕片の先端部における側面に突設している短軸状のボスと、上記蓋体の下面側から垂設されその下部に上記腕片のボスを上下方向に移動自在に遊嵌させた縦長のガイド孔を有する軸受片とを備えていることを特徴とする超音波霧化装置。
【請求項２】
円環状ホルダーの外周面にこの円環状ホルダーの周方向に小間隔を存して一対の腕片を平行に突設していると共にこれらの腕片の互いに相反する方向に向けている外側面にボスを突設している一方、蓋部材の下面側からこれらの腕片を挟むようにして一対の軸受片を垂設してあり、これらの軸受片に設けているガイド孔に上記一対の腕片に突設しているボスをそれぞれ上下方向に移動自在に遊嵌させていることを特徴とする請求項１に記載の超音波霧化装置。
【請求項３】
一対の軸受片に設けているガイド孔の下端を軸受片の下端面から下方に開口させていると共に、これらの軸受片の下端面間に受け板部材を架設状態に固定してこの受け板部材によりガイド孔の開口端を閉止してあり、さらに、軸受片の上記ガイド孔にボスを遊嵌させている円環状ホルダーの腕片の下面よりも上記軸受片の下端を下方に位置させて上記受け板部材の上面と円環状ホルダーの腕片の下端面との間に隙間を形成していることを特徴とする請求項１又は請求項２に記載の超音波霧化装置。
【請求項４】
円環状ホルダーにおける一対の腕片間の周壁部分を切除して超音波発振部からのリード線を円環状ホルダー外に引き出すリード線導出口に形成していることを特徴とする請求項１又は請求項２に記載の超音波霧化装置。
【請求項５】
ケース体内の中央部に短筒形状の仕切壁を設けて、この仕切壁で囲まれた内部を液体収容容器の収納室に形成している一方、仕切壁とケース体の外周縁に突設している周壁との間の空間部を超音波発振部に電力を供給する電源収納室に形成していることを特徴とする請求項１に記載の超音波霧化装置。
【請求項６】
液体収容容器の口部に容器キャップを取り付けてあり、このキャップの中心部に縦筒体を設けてこの縦筒体に吸液材を挿通、支持させていることを特徴とする請求項１に記載の超音波霧化装置。
【発明の詳細な説明】
【技術分野】
【０００１】
本発明は、圧電振動子と振動板とからなる超音波発振部の振動により水や芳香剤、殺虫剤、小動物等の忌避剤などの液体を噴霧する超音波霧化装置に係わり、特に、吸液材を用いて上記超音波発振部の振動板に液体の供給を行う方式の超音波霧化装置に関する。
【背景技術】
【０００２】
液体収容容器等の貯液室内の液体を吸液材によって吸い上げて超音波発振部の振動板に供給し、振動板に付着した液体を超音波発振部の振動エネルギーによって霧化する超音波霧化装置としては、従来から種々の構造のものが開発されてあり、例えば、特許文献１には貯液室内に筒状のガイドを立設し、このガイドに、スプリングによって常時上方に付勢されている吸液材を上下動自在に挿嵌している一方、貯液室の上方に圧電振動子に固着、支持されている振動板を配設して、この振動板の下面に貯液室から上方に突出している上記吸液材の上端面を上記スプリングの弾圧力によって圧接させた超音波霧化装置が記載されている。
【０００３】
また、特許文献２には、振動板を一体に設けている圧電振動子をリング状の支持部材に固定することによって超音波振動ユニットを構成し、この超音波振動ユニットを円筒形状のガイド部材に僅かな隙間を存して上下動自在に収容し、この超音波ユニットの自重により、スプリングを用いることなく圧電振動子に固着している上記振動板を、貯液室にその下部を没入させた状態で配設している吸液材における貯液室から突出した上端面に当接、支持させてなる超音波霧化装置が記載されている。
【先行技術文献】
【特許文献】
【０００４】
【特許文献１】特開平６−３２００８３号公報
【特許文献２】特許第５０９９４１０号公報
【発明の概要】
【発明が解決しようとする課題】
【０００５】
しかしながら、前者の超音波霧化装置によれば、吸液材を押し上げているスプリングによって吸液材の下端部と貯液室の内底面との間に隙間が発生し、長時間の使用によって貯液室内の液体が減少してその液面が吸液材の下端面よりも低くなると、貯液室の底部に液体が残存しているにもかかわらず、霧化させることができなくなって底部の液体が無駄になるといった問題点がある。
【０００６】
さらに、スプリング力の調整が難しくて振動板に対する押圧力が大きくなりすぎ、振動板と吸液材との間に安定した接触状態を確保することが困難となって円滑な霧化機能が損なわれるといった問題点がある。
【０００７】
一方、後者の超音波霧化装置によれば、振動板を一体に設けている圧電振動子をリング状の支持部材に固定してなる超音波振動ユニットの自重によって振動板を吸液材の上端面に当接、支持させているので、吸液材の下端面を貯液室の内底面に当接、支持させた構造とすることができて貯液室内の液体を残存させることなく全て霧化させることができると共にリング状の支持部材の軽量化によって振動板と吸液材との接触関係を良好な霧化が可能となる接圧状態に設定することができるが、超音波振動ユニットは円筒形状のガイド部材に僅かな隙間を存して上下動自在に収容されているので、輸送時や使用に際しての設置時などにおいて、振動等によって超音波振動ユニットが傾いた場合には、超音波振動ユニットにおけるリング状の支持部材の外周角部がガイド部材の内周面に突っ張り状態に係止して振動板が吸液材の吸液面である上端面に対して斜めに接触し、振動板と吸液材の上端面との接触状態が不均一になって吸液材から振動板への給液が充分に行われない部分が発生し、安定した霧化ができなくなるといった問題点があった。
【０００８】
本発明はこのような問題点に鑑みてなされたもので、その目的とするところは、簡単な構造によって振動板を吸液材の上端面全面に均一な押圧力でもって当接、支持させることができ、常に安定した霧化を可能にすることができる超音波霧化装置を提供するにある。
【課題を解決するための手段】
【０００９】
上記目的を達成するために本発明の超音波霧化装置は、請求項１に記載したように、ケース体と、ケース体に着脱自在に被せその中央部に噴霧口を開設している蓋体と、上記ケース体内に配置した液体収容容器と、この液体収容容器内にその下半部を没入させ上端部を液体収容容器の口部から上方に突出させている吸液材と、通電によって振動する圧電振動子と振動板とを備えその振動板の下面を上記吸液材の上端面に当接、受止させている超音波発振部と、上記蓋体の噴霧口の下方に配設され上記超音波発振部を内嵌状態に固定させている円環状ホルダーと、この円環状ホルダーの外周面に突設している腕片と、この腕片の先端部における側面に突設している短軸状のボスと、上記蓋体の下面側から垂設されその下部に上記腕片のボスを上下方向に移動自在に遊嵌させた縦長のガイド孔を有する軸受片とを備えていることを特徴とする。
【００１０】
このように構成した超音波霧化装置において請求項２に係る発明は、上記腕片を円環状ホルダーの周方向に小間隔を存して一対、互いに平行に突設していると共にこれらの腕片の互いに相反する方向に向けている外側面にボスを突設している一方、蓋体の下面側からこれらの腕片を挟むようにして一対の軸受片を垂設してあり、これらの軸受片に設けているガイド孔に上記一対の腕片に突設しているボスをそれぞれ上下方向に移動自在に遊嵌させていることを特徴とする。
【００１１】
請求項３に係る発明は、上記一対の軸受片に設けているガイド孔の下端を軸受片の下端面から下方に開口させていると共に、これらの軸受片の下端面間に受け板部材を架設状態に固定してこの受け板部材によりガイド孔の開口端を閉止してあり、さらに、軸受片の上記ガイド孔にボスを遊嵌させている円環状ホルダーの腕片の下面よりも上記軸受片の下端を下方に位置させて上記受け板部材の上面と円環状ホルダーの腕片の下端面との間に隙間を形成していることを特徴とする。
【００１２】
また、請求項４に係る発明は、上記円環状ホルダーにおける一対の腕片間の周壁部分を切除して超音波発振部からのリード線を円環状ホルダー外に引き出すリード線導出口に形成していることを特徴とする。
【００１３】
請求項５に係る発明は、上記ケース体内の中央部に短筒形状の仕切壁を設けて、この仕切壁で囲まれた空間部を上記液体収容容器の収納室に形成している一方、仕切壁とケース体の外周縁に突設している周壁との間の空間部を超音波発振部に電力を供給する電源収納室に形成していることを特徴とする。
【００１４】
さらに、請求項６に係る発明は、上記液体収容容器の口部にキャップを取り付けてあり、このキャップの中心部に縦筒体を設けてこの縦筒体に吸液材を挿通、支持させていることを特徴とする。
【発明の効果】
【００１５】
請求項１に係る発明によれば、ケース体内に配置した液体収容容器内にその下半部を没入させ上端部を液体容器の口部から上方に突出させている吸液材の給液面となる上端面に、超音波発振部の振動板を当接、支持させ、吸液材によって吸い上げた液体を通電により振動する上記振動板の振動によって霧化するように構成した超音波霧化装置において、上記超音波発振部を円環状ホルダー内に嵌合、固定すると共にこの円環状ホルダーの外周面に腕片を突設してこの腕片の先端部側面に突設している短軸状のボスを、上記ケース体の蓋体の下面側から垂設している軸受片の下部に設けた縦長のガイド孔に上下方向に移動自在に遊嵌させているので、円環状ホルダー内に嵌合、固定している超音波発振部の振動板の下面中央部を常に吸液材の上端面に安定した状態で正確に当接、受止させておくことができる。
【００１６】
さらに、輸送時や携行時、或いは、使用に際しての設置時などにおいて、揺れや振動等により円環状ホルダーが傾動しても、円環状ホルダーの外周面に突設している上記腕片の先端部に設けた短軸状のボスが蓋体の下面側から垂設している軸受片の下部に設けた縦長ガイド孔内を上下方向に移動しながら上記傾動に順応し、揺れや振動等が収まった際には振動板の下面が吸液材の上端面全面に正確に密接するように自動的に復帰させることができる。
【００１７】
従って、簡単な構造によって超音波発振部の振動板の下面を吸液材の上端面全面に亘ってこの超音波発振部を有する円環状ホルダーの自重を利用して均一な押圧力でもって当接、支持させることができると共に、吸液材によって吸い上げた液体を吸液材の上端面からこの上端面に接触している振動板の下面全面に均等に給液することができ、振動板に付着した液体を超音波発振部の振動エネルギーによって常に安定した霧化を可能にすることができる。
【００１８】
また、請求項２に係る発明によれば、上記円環状ホルダーの外周面に上記腕片を一対、円環状ホルダーのホルダーの周方向に小間隔を存して互いに平行に突設し、これらの腕片の相反する方向に向けている外側面にボスを突設している一方、上記蓋体の下面側からこれらの腕片を挟むようにして一対の軸受片を垂設して、これらの軸受片に設けているガイド孔に上記一対の腕片に突設しているボスをそれぞれ上下方向に移動自在に遊嵌させているので、円環状ホルダーの周方向への妄動を阻止しながら、この円環状ホルダーに内嵌、固定している上記超音波発振部の振動板の下面中央部を吸液材の上端面全面に当接させた状態に保持しておくことができ、安定した霧化機能を維持することができる。
【００１９】
請求項３に係る発明によれば、上記一対の軸受片に設けているガイド孔の下端を軸受片の下端面から下方に開口させているので、超音波霧化装置の組立、作製時において、超音波発振部を備えた上記円環状ホルダーの外周面に突設している一対の腕片を、これらの腕片の外面に突設したボスを上記ガイド孔の下端からガイド孔内に挿入しながら上記一対の軸受片間に介入させることによって上記円環状ホルダーを上記一対の軸受片に簡単に組み込むことができ、ついで、これらの軸受片の下端面間に受け板部材を架設状態に固定してこの受け板部材によりガイド孔の開口端を閉止することによって、円環状ホルダーを軸受片から不測に離脱できないように装着しておくことができると共に、上記蓋体を開いた際に、この受け板部材の上面によって円環状ホルダーの腕片を受止して円環状ホルダーが下方に離脱しないように受止することができる。
【００２０】
さらに、軸受片の上記ガイド孔にボスを遊嵌させている円環状ホルダーの腕片の下面よりも上記軸受片の下端を下方に位置させて上記受け板部材の上面と円環状ホルダーの腕片の下端面との間に隙間を形成しているので、円環状ホルダーが受け板部材に邪魔されることなくこの円環状ホルダーに内嵌、固定している超音波発振部の振動板を吸液材の上面全面に正確に安定した状態に当接、受止させておくことができ、振動板に付着した液体を超音波発振部の振動エネルギーによって効率よく霧化することができる。
【００２１】
請求項４に係る発明によれば、上記円環状ホルダーにおける一対の腕片間の周壁部分を切除して超音波発振部からのリード線を円環状ホルダー外に引き出すリード線導出口に形成しているので、超音波発振部が円環状ホルダー内に装着されているもかかわらず、超音波発振部に接続しているリード線を上記導出口を通じて引き出してケース内での配線が簡単且つ正確に行うことができる。
【００２２】
請求項５に係る発明によれば、上記ケース体内の中央部に短筒形状の仕切壁を設けて、この仕切壁で囲まれた空間部を上記液体収容容器の収納室に形成している一方、仕切壁とケース体の外周縁に突設している周壁との間の空間部を超音波発振部に電力を供給する電源収納室に形成しているので、液体収容容器及び電源をケース体内における所定位置に簡単に装着することができるばかりでなく、液体収容容器や電源の交換が容易となり、また、電源から、液体収容容器の上方に配設される超音波発振部へのリード線などの配線も簡単且つ正確に行うことができる。
【００２３】
また、請求項６に係る発明によれば、上記液体収容容器の口部にキャップを取り付け、このキャップの中心部に縦筒体を設けてこの縦筒体に吸液材を挿通、支持させているので、液体収容容器の中央部に吸液材をその下端が液体収容容器の内底面に当接するように簡単且つ正確に配設することができると共に、液体収容容器の底部に液体を残存させることなく全ての液体を霧化させることができる。
【図面の簡単な説明】
【００２４】
【図１】超音波霧化装置の縦断正面図。
【図２】蓋体を開放させた状態の超音波霧化装置の斜視図。
【図３】蓋体と液体収容容器との間の超音波発振部の配設部分の分解斜視図。
【図４】振動板の一部拡大断面図。
【図５】液体収容容器上に装着した超音波発振部と蓋体の一部の縦断正面図。
【図６】その斜視図。
【図７】超音波発振部を装着している円環状ホルダー取付部の簡略断面図。
【図８】蓋体をケース体から上方に開いた状態の縦断正面図。
【図９】使用状態を示す斜視図。
【発明を実施するための形態】
【００２５】
本発明の具体的な実施例を図面について説明すると、超音波霧化装置は、図１〜図３に示すように、底板部1aの外周縁に一定高さの短い円筒形状の周壁1bを一体に設けてなるケース体１と、天板部2aの外周縁に下方に向かって一定高さの周壁2bを垂設し、この周壁2bの下端部を上記ケース体１の周壁1bの上半部外周面に着脱自在に被せている蓋体２とを備え、上記ケース体１側に水や芳香剤、或いは殺虫剤、小動物等の忌避剤などの液体を入れている液体収容容器３と、この液体収容容器３内の液体を吸い上げる吸液材４とを配している一方、上記蓋体２側に通電によって超音波振動する超音波発振部５と、この超音波発振部５を内嵌状態に固着させている円環状ホルダー６とを配して、上記液体収容容器３内の液体を吸液材４によって上記超音波発振部５側に供給し、この超音波発振部５の振動によって液体を霧化して上記蓋体２の中央部に開設している噴霧口７から噴霧させるように構成している。
【００２６】
この超音霧化装置の構成をさらに詳しく説明すると、上記超音波発振部５は一定厚みと一定径を有する円板状に形成された振動板5aの外周縁部にリング状の圧電振動子5bを固着してなり、圧電振動子5bの上下両面に設けられた電極（図示せず）にリミットスイッチLSを備えているリード線8a、8bをそれぞれ接続してこれらのリード線8a、8bを上記蓋部材２の下面に取り付けている回路基板９の発振回路に接続していると共にこの発振回路を電源10に接続してあり、電源10から発振回路に通電することによって発振回路から上記超音波発振部５に駆動電圧を印加して超音波発振部５を超音波振動させるように構成している。  
【００２７】
上記超音波発振部５における振動板5aは、例えば、ニッケル、ステンレスなどの薄い金属材料からなり、圧電振動子5bは圧電セラミックスによって構成されている。振動板5aには図４に示すように、下端から上端に向かって小径に形成された無数の先細り形状の微細な小孔11が振動板5aの厚み方向に貫通形成されている。また、上記吸液材４は、合成樹脂繊維などの繊維束のほか、ウレタンフォームその他の発泡樹脂などの吸液性に富んだ材料によって一定径と長さを有する棒状の芯形状に形成されている。なお、上記ケース体１と蓋体２及び液体収容容器３と上記円環状ホルダー６は合成樹脂によって形成されている。  
【００２８】
上記ケース体１内の中央部には底板部1aから立設した一定高さの円形状の仕切壁1cが設けられていて、この仕切壁1cによって囲まれた空間部を上記液体収容容器３の収納室12に形成してあり、さらに、この仕切壁1cとケース体１の底板部外周縁に突設している上記周壁1bとの間の空間部を、上記超音波発振部５に電力を供給するバッテリーからなる電源の収納室13に形成している。
【００２９】
液体収容容器３は、上記収納室12に嵌合状態に収納される容器本体部3aの上端中央部に容器本体部3aよりも小径で上記収納室12から上方に突出する口部3bを一体に設けてなり、この口部3bにキャップ3cを螺合させている。さらに、キャップ体3c内の中心部に、その上端をキャップ体3cの天面部の下面に連結している縦筒体14を一体に設けていると共に、この縦筒体14の下端を容器本体部3a内に向かった開口させ、上端を上記キャップ体3cの天面部中央に穿設した縦筒体14の内径と同径の通孔15を通じて上方に開口させていあり、この縦筒体14に上記吸液材４を挿嵌して吸液材４の下端面が液体収納容器３の内底面に当接し、上端部が上記通孔15から上方に突出した状態となるように縦筒体14によって吸液材４を支持している。
【００３０】
一方、上記超音波発振部５は、蓋体２における天板部2aの中央部に開設している上記噴霧口７の下方において、その振動板5aの下面中央部を上記吸液材４の上端面に当接、支持させた状態にして蓋体２内に配設されている。この超音波発振部５を内嵌状態に固着させている上記円環状ホルダー６は、図３に示すように、中心部に上記吸液材４よりも大径の吸液材挿通孔6cを設けている円形枠状の底部6aの外周縁に上方に向かって高さが超音波発振部５のリング状の圧電振動子5bの厚みよりも大きい円環状壁部6bを突設してなり、この円環状壁部6bの下半部側の内周面にリング状の圧電振動子5bの外周面を嵌着させると共に上記円形枠状の底部6a上にリング状の圧電振動子5bの下端面を当接、支持させた状態にして円環状ホルダー６内に圧電振動子5bを固着させている。
【００３１】
この円環状ホルダー６には、その円環状壁部6bの下半部外周面における一部から円環状ホルダー６の周方向に小間隔を存して円環状ホルダー６の径の延長方向の仮想線を中央にしてこの仮想線の両側に互いに平行となるように一定長さを有する左右一対の横長長方形状の腕片16、16を突設していると共に、これらの腕片16、16の先端部における互いに相反する方向に向けている外側面にこれらの腕片16、16の突設方向に対して直交する方向に短軸状のボス17、17を突設している。
【００３２】
さらに、上記円環状ホルダー６の円環状壁部6bにおいて、上記一対の腕片16、16間の周壁部分を円環状壁部6bの全高さに亘って切除して円環状ホルダー６内に装着されている上記超音波発振部５の圧電振動子5bに接続しているリード線8a、8bを円環状ホルダー６外に引き出すリード線導出口18に形成している。このリード線8a、8bは上述したように、蓋体２の下面に装着している回路基板９の発振回路に接続してあり、さらに、この発振回路から上記電源10に接続している。
【００３３】
一方、上記蓋体２の天板部2aの中央部に開設している噴霧口７の外周方における天板部2aの下面に、上記円環状ホルダー６の外周面に突設している上記一対の腕片16、16に対応してこれらの腕片16、16間よりも広い間隔を存して一対の矩形板状の軸受片19、19を互いに平行に垂設してあり、これらの軸受片19、19によって上記一対の腕片16、16を挟むようにして腕片16、16の外面を軸受片19、19の対向する内面下部に沿わせ、軸受片19、19の下端部間にこれら一対の腕片16、16を介入させている。
【００３４】
さらに、これらの軸受片19、19の下部には幅が上記腕片16、16に突設しているボス17、17の径よりも僅かに大きく、下端が軸受片19、19の下端から下方に向かって開口している縦長のガイド孔20、20を形成してあり、これらのガイド孔20、20の下端開口部から上記ボス17、17をガイド孔20、20内に挿入して、これらのボス17、17をガイド孔20、20内に上下方向に移動自在に且つガイド孔20、20の幅方向、即ち、腕片16、16の長さ方向に微動可能に遊嵌させている。例えば、上記ボス17の径が2mm である場合には、ガイド孔20の幅が2.5mm 、長さが3.25mmとなるように形成している。
【００３５】
上記軸受片19、19の下端の位置は、液体収容容器３に立設状態に配設している吸液材４の上端面の高さ位置よりも下方に位置するように蓋体２側からの垂下長さを設定して、これらの軸受片19、19に設けている上記ガイド孔20、20の下端部を、上記吸液材４の上端面よりも下方に位置させてあり、円環状ホルダー６内に装着している上記超音波発振部５の振動板5aが吸液材４の上端面に当接、支持されている状態においては、円環状ホルダー６に突設している上記腕片16、16の下端面が軸受片19、19の下端面よりも僅かに上方に位置し、腕片16、16に突設している上記ボス17、17がガイド孔20、20の上下長さ方向の中央部に遊嵌した構造となるように構成している。
【００３６】
上記一対の軸受片19、19の下端面には、開蓋時にその上面で上記円環状ホルダー６を受止して円環状ホルダー６が上記軸受片19、19から下方に離脱するのを阻止する受け板部材21が配設されている。この受け板部材21は、上記円環状ホルダー６の腕片16、16の下面に沿ってこの腕片16、16から小間隔を存して配設された長方形状の中央板片部21a と、この中央板片部21a の両側端面に中央板片部21a の長さ方向に小間隔を存して一体に設けられ、且つ、中央板片部21a の幅延長方向に向かって突設している両側板片部21b 、21b ；21c 、21c とからなり、これらの両側板片部21b 、21b ；21c 、21c の上面は水平方向に平坦な面に形成されていると共にその突出端部（先端部）に取付用小孔26、26が穿設されてあり、これらの小孔26を蓋体２の下面から垂設している支持棒25、25の下端に嵌着することにより、上記円環状ホルダー６における腕片16、16の突出端部の下方に位置する端部側の両側板片部21b 、21b の上面を上記軸受片19、19の下端面に当接させてガイド孔20、20の開口下端を上記両側板片部21b 、21b によって閉止した状態となるようにこの受け板部材21を軸受片19、19の下端面間に架設している。
【００３７】
さらに、この受け板部材21における上記中央板片部21a は、その上面を上記円環状ホルダー６に突設している腕片16、16の先端側から基端側に向かって下方に緩傾斜した傾斜面に形成されてあり、蓋体３を開いた際に、軸受片19、19に設けているガイド孔20、20に遊嵌させたボス17、17を支点として下方に回動する円環状ホルダー６の腕片16、16をその傾斜面によって受止させるように構成している。
【００３８】
また、受け板部材21における上記中央板片部21a の幅方向の中央部に先端から基端に向かって上記円環状ホルダー６に突設している腕片16、16の下方に対応させて上記リード線8a、8bを挿通させる配線用孔部27を設けていると共に上記両側板片部21b 、21b ；21c 、21c における一つの側板片部21c から外側方に向かって支持片部21d を突設してこの支持片部21d の先端部に上記リミットスイッチLSを取り外し可能に挿嵌させているスイッチ取付筒部28を設けている。
【００３９】
そして、超音波発振部５の圧電振動子5bに接続しているリード線8a、8bは、円環状ホルダー６の壁部6bに設けているリード線導出口18から円環状ホルダー６に突設している腕片16、16間とこの下方の上記受け板部材21における上記中央板片部21a に設けた配線用孔部27を通じて蓋体２内の外周部側に引き出され、このリード線8a、8bに取付けている上記リミットスイッチLSを受け板部材21に設けている上記スイッチ取付筒部28に装着すると共にリード線8a、8bを回路基板９の発振回路を介して電源10に接続している。なお上述したように、上記一対の軸受片19、19の下端面は、円環状ホルダー６に突設している腕片16、16の下端面よりも下方に位置しているので、この受け板部材21の上面と腕片16、16の下端面との間には隙間22が形成されている。
【００４０】
また、蓋体２は、上記円環状ホルダー６に突設している腕片16、16の突出端側に面するケース体１の周壁外周面において、ケース体１に対して開閉自在に枢着29されている。この蓋体２の下面において、この蓋体２の中央部に設けている上記噴霧口７の周囲から下方に向かって上記円環状ホルダー６を囲む円筒状のホルダー収納室23を垂設してあり、このホルダー収納室23内に円環状ホルダー６をこの円環状ホルダー６の外周面がホルダー収納室23の内周面に当接することがない間隔を存して収納していると共に、このホルダー収納室23の一部を全長に亘って切除してホルダー収納室23から円環状ホルダー６の上記一対の腕片16、16を上記軸受片19、19間に突出させる腕片導出口24を設けている。
【００４１】
このように構成した超音波噴霧装置によれば、超音波発振部５を装着している円環状ホルダー６は、その円環状壁部6bの一部からこの円環状壁部6bの径の延長方向に向けて突設している上記一対の腕片16、16を蓋体２の下面側から垂設している一対の軸受片19、19間に介挿し、さらに、腕片16、16の外側面に突設しているボス17、17を上記一対の軸受片19、19に設けている縦長のガイド孔20、20に上下動自在に遊嵌させているので、円環状ホルダー６が周方向に妄動することなくこの円環状ホルダー６内に装着している超音波発振部５の振動板5aの中心部下面を液体収容容器３側に設けている上記吸液材４の上端面に当接、支持させておくことができると共に振動板5aがその下面を吸液材４の上端面全面に均等に当接するように円環状ホルダー６が自動的に変動調整し、超音波発振部５を備えた円環状ホルダー６の自重によって振動板5aを所定の押圧力でもって吸液材４の上端面全面に当接、支持させることができる。なお、この押圧力は、超音波発振部５に錘を装着してこの錘と超音波発振部５の自重とによって調整するように構成しておいてもよい。
【００４２】
ケース体１に蓋体２を被せると、円環状ホルダー６に装着している超音波発振部５の振動板5aが級液材４の上端面に当接、受止されて、吸液材４によって吸い上げられる液体収容容器３内の液体は吸液材４の上端面から振動板5aの下面に付着すると共に、この状態においてリミットスイッチLSを作動させて電源10から発振回路への通電をオンにすると、圧電振動子5bに交流駆動電圧が印加されて圧電振動子5bが励振され、振動板5aは圧電振動子5bと一体となって振動する。この振動板5aの振動によって液体は振動板5aに無数に設けている小孔11内に毛細管現象によって導かれ、上端に向かって先細に形成されているこの小孔11内で液体は絞り作用を受けて微小で均一な粒子となって霧化されながら小孔11から噴出し、図９に示すように蓋体２の中央部に設けている噴霧口７から外部に噴霧される。
【００４３】
長時間の使用によって液体収容容器３内の液体がなくなると、蓋体２をケース体１から取り外し、ケース体１内の容器収納室12から空になった液体収容容器３を抜き取るようにして除去し、新たな液体収容容器３を容器収納室12内に配設する。この際、液体収容容器３には、その口部3bに吸液材４を支持している縦筒体14を備えたキャップ3cが取り付けられているが、使用前の液体収容容器３には、このキャップ3cから上方に突出している吸液材４の上端部をキャップ3cと共に被覆している外キャップ（図示せず）がキャップ3cに螺合させてあり、使用する際には、この外キャップを取り外したのち、容器収納室12内に配設する。
【００４４】
また、ケース体１に対して蓋体２を上記枢着部29を支点として上方に回動させて開蓋すると、円環状ホルダー６内に装着している超音波発振部５の振動板5aが吸液材４の上端面から上方に離れるが、その際、超音波発振部５を固着させている円環状ホルダー６は、軸受片19、19に設けているガイド孔20、20に遊嵌させたボス17、17を支点として下方に回動してその腕片16、16をその傾斜面によって受止され、円環状ホルダー６がそれ以上傾動することなく受け板部材21上に支持された状態で蓋体２と一体的にケース体１から離脱させることができる。
【００４５】
そして、液体収容容器３の交換後に蓋体２をケース体１に被せると、超音波発振部５の振動板5aの下面中心部が液体収容容器３の口部3bから突出している吸液材４の上端面に当接、受止されると共に振動板5aが上方に押圧され、円環状ホルダー６に突設している腕片16、16が受け板部材21から上方に移動してボス17、17がガイド孔20、20の長さ方向の中間部に位置し、上述したように、超音波発振部５を装着している円環状ホルダー６の自重によって超音波発振部５の振動板5aを吸液材４の上端面全面に均一に当接、支持させた状態にすることができる。
【００４６】
この状態において、円環状ホルダー６が超音波霧化装置が輸送時や使用に際しての設置時等で揺動しても、輸送後、或いは、設置後には振動板5aの下面が吸液材４の上端面に全面的に均一に密接、受止させた状態に自動的に復帰させることができる。
【００４７】
なお、上記ガイド孔20、20を設けている一対の軸受片19、19は蓋体２の下面に端を連設させているホルダー収納室23にその内端を一体に接続させているが、ホルダー収納室23が設けられていない場合、或いは、設けられていてもホルダー収納室23とは別体にして蓋体２の下面にその上端面を一体に接続しておいてもよく、要するに、蓋体２の下面側から垂設しておけばよい。
【００４８】
また、上記軸受片19、19に設けているガイド孔20、20の下端を軸受け片19、19から下方に向かって開口させることなく、軸受片19、19の下端近傍部にまで達した縦長のガイド孔に形成しておいてもよい。
【符号の説明】
【００４９】
１  ケース体
２  蓋体
３  液体収容容器
４  吸液材
５  超音波発振部
5a  振動板
5b  圧電振動子
６  円環状ホルダー
７  噴霧口
12  容器収納室
13  電源収納室
14  縦筒体
16、16  腕片
17、17  ボス
18  リード線導出口
19、19  軸受片
20、20  ガイド孔
21  受け板部材
【図１】
2016043286.tif 000003
【図２】
2016043286.tif 000004
【図３】
2016043286.tif 000005
【図４】
2016043286.tif 000006
【図５】
2016043286.tif 000007
【図６】
2016043286.tif 000008
【図７】
2016043286.tif 000009
【図８】
2016043286.tif 000010
【図９】
2016043286.tif 000011